(57)【要約】【課題】ファンモータの回転羽根に異物などが入り込んだ場合に、電力が無駄に消費されるのを防止することができるファンモータ制御装置およびファンモータ制御方法を提供する。【解決手段】Ｆ＿Ｖ変換回路１２は、ファンモータ１１の回転速度に応じて周波数が変化するＦＧパルスを受けて、ファンモータ１１の回転数を表わす回転数指示電圧を出力する。モータ制御回路１５は、回転数指示電圧が所定の閾値以下のときに、ファンモータ１１の回転を停止させるモータ制御信号をファンモータ１１に出力する。【選択図】図１
2007124763.tif 000002
【特許請求の範囲】
【請求項１】
ファンモータを制御するファンモータ制御装置であって、
ファンモータの回転速度に応じて周波数が変化するパルスを受けて、前記ファンモータの回転数を表わす回転数指示電圧を出力する変換回路と、
前記回転数指示電圧が所定の閾値以下のときに、前記ファンモータの回転を停止させる制御信号を前記ファンモータに出力するモータ制御回路とを備え、
前記変換回路は、前記パルスを積分する回路と、前記積分された信号に基づいて電圧を発生する回路とを備え、前記変換回路は、前記パルスの周波数に比例した回転数指示電圧を出力する、ファンモータ制御装置。
【請求項２】
ファンモータを制御するファンモータ制御装置であって、
ファンモータの回転速度に応じて周波数が変化するパルスを受けて、前記ファンモータの回転数を表わす回転数指示電圧を出力する変換回路と、
前記回転数指示電圧が所定の閾値以下のときに、前記ファンモータの回転を停止させる制御信号を前記ファンモータに出力するモータ制御回路とを備えたファンモータ制御装置。
【請求項３】
ファンモータを制御するファンモータ制御方法であって、
ファンモータの回転速度に応じて周波数が変化するパルスを受けて、前記ファンモータの回転数を表わす回転数指示電圧を出力する変換するステップと、
前記回転数指示電圧が所定の閾値以下のときに、前記ファンモータの回転を停止させる制御信号を前記ファンモータに出力する制御ステップとを含み、
前記変換ステップは、前記パルスの周波数に比例した回転数指示電圧を出力する、ファンモータ制御方法。
【請求項４】
ファンモータを制御するファンモータ制御方法であって、
ファンモータの回転速度に応じて周波数が変化するパルスを受けて、前記ファンモータの回転数を表わす回転数指示電圧を出力する変換するステップと、
前記回転数指示電圧が所定の閾値以下のときに、前記ファンモータの回転を停止させる制御信号を前記ファンモータに出力する制御ステップとを含むファンモータ制御方法。
【発明の詳細な説明】
【技術分野】
【０００１】
本発明は、ファンモータ制御装置およびファンモータ制御方法に関する。
【背景技術】
【０００２】
パソコンなどのＯＡ機器などには、機器内部を冷却するためのファンモータが設けられている。従来からフォンモータを制御するための装置が考えられている。
【０００３】
たとえば、特許文献１には、参考電圧回路は、環境電圧、システムの需要または放熱ファンの回転速度信号ＦＧに基づいて参考電圧を調整し、参考電圧回路から出力された参考電圧が上昇した時、差動増幅器から放熱ファンに出力する駆動電圧は緩やかに降下することにより、放熱ファンの回転速度も緩やかに降下し、参考電圧回路から出力された参考電圧が下降した時、差動増幅器から放熱ファンに出力する駆動電圧は緩やかに上昇することにより、放熱ファンの回転速度も緩やかに上昇するための構成が開示されている。
【０００４】
また、特許文献２には、ブラシレスモータの起動から定常回転速度に至るまでの過渡期において、ＦＧパルス監視機能、すなわちＦＧパルスの周波数が予め設定された周波数よりも低くなったことを検出してオペレータに知らせる機能が働かないようにして、ブラシレスモータが正常であるにもかかわらず、誤って、モータが異常である旨を指示する信号が出力されるのを防止するための構成が開示されている。
【０００５】
また、特許文献３には、電源部の電源能力に対して所定値以上の余裕を持った状態でモータを制御することによって、モータを駆動する回路などを正常に動作させるための構成が開示されている。
【特許文献１】特開２００２−１７１７８９号公報
【特許文献２】特開平１０−０２８３９４号公報
【特許文献３】特開２００４−１６６４７７号公報
【発明の開示】
【発明が解決しようとする課題】
【０００６】
しかしながら、上述の特許文献１〜３では、ファンモータの回転羽根に異物などが入り込んだ場合が考慮されていないため、異物などが入り込んでも、ファンモータは回転し続ける。その結果、ファンモータの効力が失われているにもかかわらず、余分な負荷がかかっているために過剰電流が流れ、電力が無駄に消費される。
【０００７】
それゆえに、本発明の目的は、ファンモータの回転羽根に異物などが入り込んだ場合に、電力が無駄に消費されるのを防止することができるファンモータ制御装置およびファンモータ制御方法を提供することである。
【課題を解決するための手段】
【０００８】
上記課題を解決するために、本発明は、ファンモータを制御するファンモータ制御装置であって、ファンモータの回転速度に応じて周波数が変化するパルスを受けて、前記ファンモータの回転数を表わす回転数指示電圧を出力する変換回路と、前記回転数指示電圧が所定の閾値以下のときに、前記ファンモータの回転を停止させる制御信号を前記ファンモータに出力するモータ制御回路とを備え、前記変換回路は、前記パルスを積分する回路と、前記積分された信号に基づいて電圧を発生する回路とを備え、前記変換回路は、前記パルスの周波数に比例した回転数指示電圧を出力する。
【０００９】
また、本発明は、ファンモータを制御するファンモータ制御装置であって、ファンモータの回転速度に応じて周波数が変化するパルスを受けて、前記ファンモータの回転数を表わす回転数指示電圧を出力する変換回路と、前記回転数指示電圧が所定の閾値以下のときに、前記ファンモータの回転を停止させる制御信号を前記ファンモータに出力するモータ制御回路とを備える。
【００１０】
また、本発明は、ファンモータを制御するファンモータ制御方法であって、ファンモータの回転速度に応じて周波数が変化するパルスを受けて、前記ファンモータの回転数を表わす回転数指示電圧を出力する変換するステップと、前記回転数指示電圧が所定の閾値以下のときに、前記ファンモータの回転を停止させる制御信号を前記ファンモータに出力する制御ステップとを含み、前記変換ステップは、前記パルスの周波数に比例した回転数指示電圧を出力する。
【００１１】
また、本発明は、ファンモータを制御するファンモータ制御方法であって、ファンモータの回転速度に応じて周波数が変化するパルスを受けて、前記ファンモータの回転数を表わす回転数指示電圧を出力する変換するステップと、前記回転数指示電圧が所定の閾値以下のときに、前記ファンモータの回転を停止させる制御信号を前記ファンモータに出力する制御ステップとを含む。
【発明の効果】
【００１２】
本発明のファンモータ制御装置およびファンモータ制御方法によれば、ファンモータの回転羽根に異物などが入り込んだ場合に、電力が無駄に消費されるのを防止することができる。
【発明を実施するための最良の形態】
【００１３】
以下、本発明の実施の形態について図面を用いて説明する。
（構成）
図１は、本発明の実施形態のファンモータ制御装置の構成を示すブロック図である。
【００１４】
図１を参照して、このファンモータ制御装置１０は、Ｆ＿Ｖ変換回路１２と、モータ制御回路１５とを備える。
【００１５】
Ｆ＿Ｖ変換回路１２は、ファンモータ１１から出力されるファンモータの回転速度に応じて周波数が変化するＦＧ（Frequency Generator）パルスを受けて、ファンモータの回転数を表わす回転数指示電圧を出力する。より具体的には、Ｆ＿Ｖ変換回路１２は、ＦＧパルスを一定区間ごとに積分する回路と、積分された信号を回転数指示電圧に変換する回路とを備え、ＦＧパルスの周波数に比例した回転数指示電圧を出力する。
【００１６】
図２（ａ）は、Ｆ＿Ｖ変換回路１２に入力されるＦＧパルスのある例を表わす図である。
【００１７】
図２（ａ）を参照して、このＦＧパルスの周波数はｆ１（Ｈｚ）である。
図２（ｂ）は、Ｆ＿Ｖ変換回路１２に入力されるＦＧパルスの別の例を表わす図である。
【００１８】
図２（ｂ）を参照して、このＦＧパルスの周波数はｆ２（Ｈｚ）である。
図２（ｃ）は、Ｆ＿Ｖ変換回路１２に入力されるＦＧパルスの周波数Ｆ（Ｈｚ）と、Ｆ＿Ｖ変換回路１２から出力される回転数指示電圧Ｖ（ｖ）との関係を表わす図である。
【００１９】
図２（ｃ）を参照して、回転数指示電圧Ｖ（ｖ）はＦＧパルスの周波数Ｆ（Ｈｚ）に比例する。入力されるＦＧパルスの周波数がｆ１のときには、出力される回転数指示電圧はｖ１となる。また、入力されるＦＧパルスの周波数がｆ２のときには、出力される回転数指示電圧はｖ２となる。
【００２０】
モータ制御回路１５は、回転数指示電圧が所定の閾値以下のときに、ファンモータを停止させるモータ制御信号をファンモータに出力する。
【００２１】
（動作）
図３は、本発明の実施形態のファンモータ制御装置の動作手順を表わすフローチャートである。
【００２２】
図３を参照して、まず、モータ制御回路１５は、ファンモータ１１を回転させるモータ制御信号をファンモータ１１に出力し、ファンモータ１１は回転動作を開始する（ステップＳ１０１）。
【００２３】
次に、Ｆ−Ｖ変換回路１２は、ファンモータ１１からＦＧパルスを受けて、ＦＧパルスの周波数に比例した回転数指示電圧Ｖを出力する（ステップＳ１０２）。
【００２４】
次に、モータ制御回路１５は、回転数指示電圧Ｖが所定の閾値を超えているかどうかを調べる。
【００２５】
モータ制御回路１５は、回転数指示電圧Ｖが所定の閾値を超えている場合には（ステップＳ１０３でＹＥＳ）、ファンモータ１１の回転を停止させるモータ制御信号をファンモータ１１に出力し、ファンモータ１１は回転を停止する（ステップＳ１０４）。
【００２６】
以上のように、本発明の実施形態のモータ制御装置によれば、ファンモータの回転羽根に異物などが入り込んだ場合に、電力が無駄に消費されるのを防止することができる。
【００２７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００２８】
【図１】本発明の実施形態のファンモータ制御装置の構成を示すブロック図である。
【図２】（ａ）は、Ｆ＿Ｖ変換回路１２に入力されるＦＧパルスのある例を表わす図である。（ｂ）は、Ｆ＿Ｖ変換回路１２に入力されるＦＧパルスの別の例を表わす図である。（ｃ）は、Ｆ＿Ｖ変換回路１２に入力されるＦＧパルスの周波数Ｆ（Ｈｚ）と、Ｆ＿Ｖ変換回路１２から出力される回転数指示電圧Ｖ（ｖ）との関係を表わす図である。
【図３】本発明の実施形態のファンモータ制御装置の動作手順を表わすフローチャートである。
【符号の説明】
【００２９】
１０  ファンモータ制御装置、１１  ファンモータ、１２  Ｆ＿Ｖ変換回路、１５  モータ制御回路。
【図１】
2007124763.tif 000003
【図２】
2007124763.tif 000004
【図３】
2007124763.tif 000005